(57)【要約】【課題】  厨芥処理装置の運転中に停電したり、断水したりなどしたさい、厨芥処理部内の厨芥や汚水が給水管路に向かって逆流したりすることの無いようにすること。【解決手段】  流し台シンクの下部に排水口から投入された厨芥をモーターにより回転される破砕歯により破砕して排出口部から流出させる厨芥処理装置に於いて、上記厨芥処理装置の厨芥処理部の運転時に必要とされる一定量の給水は、流し台シンクに至る給水管の一部を分岐させ、止水弁及び電磁弁を介して厨芥処理装置の厨芥処理部へ導かれるものとなし、且つ該導管の止水弁と電磁弁間の管路途中にバキュームブレーカーを取付けたものとする。【選択図】      図１
2005095752.tif 000002
【特許請求の範囲】
【請求項１】
流し台シンクの下部に排水口から投入された厨芥をモーターにより回転される破砕歯により破砕して排出口部から流出させる厨芥処理装置に於いて、上記厨芥処理装置の厨芥処理部の運転時に必要とされる一定量の給水は、流し台シンクに至る給水管の一部を分岐させ、止水弁及び電磁弁を介して厨芥処理装置の厨芥処理部へ導かれるものとなし、且つ該導管の止水弁と電磁弁間の管路途中にバキュームブレーカーを取付けたものとなし、停電や断水時に於ける上記管路中の負圧を生じたさい、上記バキュームブレーカーが作動して厨芥処理部内の汚水が給水管へ向けて逆流しないようになしたことを特徴とする厨芥処理装置の自動給水方法。
【請求項２】
バキュームブレーカーを流し台シンクの給水アダプター箇所に配置させたことを特徴とする請求項１記載の厨芥処理装置の自動給水方法。
【請求項３】
厨芥処理装置のモーターが停止した後、一定時間後に電磁弁が閉じ、上記厨芥処理装置の厨芥処理部への給水が係止されるものとなされることを特徴とする請求項１又は２記載の厨芥処理装置の自動給水方法。
【発明の詳細な説明】
【技術分野】
【０００１】
この発明は、厨房で発生する厨芥を破砕して、これらを流し台の排水口から別途厨芥処理施設や下水管等に流出させる厨芥処理装置において、処理装置の運転に必要な水の供給を自動的に行う方法に関する。
【背景技術】
【０００２】
従来、家庭用厨芥処理装置は厨房の流し台の、シンクと排水管の間に取付られ、その運転に際しては、厨芥を破砕し易くするためと、粉砕後処理物を排出するために、一定量の給水が必要とされる。その給水は処理装置を運転する際に、流し台シンクに取付けられている給水栓を開いて必要量の給水を手動で行う手動給水方式か、あるいは処理装置の粉砕室に、水道から直接給水管を引き込んで、処理装置の運転信号により電磁弁を開いて自動給水を行う自動給水方式がある。
【特許文献１】特願２００３−０９８０６９
【発明の開示】
【発明が解決しようとする課題】
【０００３】
前記手動給水方式では、もし粉砕や排出に必要な水量（概ね８リットル／分）より少ない給水しか行わない場合は、粉砕した厨芥が排出管内に堆積する等の不都合が発生する。また自動給水方式は、水道管を直接処理装置の粉砕室に開口し給水するために、万一電磁弁や逆流防止弁に故障が発生した場合、汚水が水道管内に逆流して、水道管を汚染する危険性がある。
【０００４】
一般的にはこのような万一の場合を考慮して、水道水の給水口とそれを受ける水面には吐出口空間が必要とされており、この基準に照らせば上記自動給水方式は採用することができない。また、前記全自動方式では、粉砕室への給水管の取付が水平であるので粉砕室内で粉砕された厨芥が給水口に堆積し、給水が不可能となる欠点も有している。
【課題を解決するための手段】
【０００５】
この発明は上記のような欠点を克服した、新規な厨芥処理装置の自動給水方法を提供する。即ち、その方法は流し台シンクの下部に排水口から投入された厨芥をモーターにより回転される破砕歯により破砕して排出口部から流出させる厨芥処理装置に於いて、上記厨芥処理装置の厨芥処理部の運転時に必要とされる一定量の給水は、流し台シンクに至る給水管の一部を分岐させ、止水弁及び電磁弁を介して厨芥処理装置の厨芥処理部へ導かれるものとなし、且つ該導管の止水弁と電磁弁間の管路途中にバキュームブレーカーを取付けたものとなし、停電や断水時に於ける上記管路中の負圧を生じたさい、上記バキュームブレーカーが作動して厨芥処理部内の汚水が給水管へ向けて逆流しないようになさしめるのである。
このさい、上記バキュームブレーカーは流し台シンクの給水アダプタ箇所に配置させたものとなすと、使い勝手の良いものとなるのである。
【０００６】
なお、上記運転時、厨芥処理装置のモーターが停止した後、一定時間後に電磁弁が閉じ、上記厨芥処理装置の厨芥処理部への給水が休止されるものとなされるのである。
【発明の効果】
【０００７】
本発明は以上の通り流し台シンク下部に於ける厨芥処理装置の運転中、停電したり断水したりして管路中に負圧が発生すると上記バキュームブレーカーが作動し、自動的に空気の導入が行われて厨芥処理装置に於ける厨芥処理装置部内の厨芥や汚水などが給水管内へ逆流したりすることの全く無いものとなる。
【発明を実施するための最良の形態】
【０００８】
図１は本発明方向を実施する装置の一例を示す模式図であって、１は流し台シンク、２はその排水口、３は該排水口下部に取付けられてなる厨芥処理装置である。ここに厨芥処理装置３はモーター駆動部４と厨芥処理部５とからなり、厨芥処理部には図示しないモーターにより回転される破砕歯が設けてあり、６は該厨芥処理部５に付設させた上記破砕歯により破砕された厨芥を流出させるための厨芥流出管である。
【０００９】
一方、７は流し台シンク１に対する給水管であって、８は給水栓、９は給水アダプタである。他方、１０は上記給水管７の一部をＴ型継ぎ手１１を介して分岐させてなる第１分岐管であって、上記給水アダプタ９に向かって止水弁１２、逆流防止弁１３、電磁弁１７を介して立上げ、その下方箇所付近で再びＴ型継ぎ手１４を介して第２分岐管１５と接続させるものとなし、該第２分岐管１５の上端は上記給水アダプタ９に取付けてなるバキュームブレーカー１６と接続させるほか、下端は上記厨芥処理装置３の厨芥処理部５を接続させたものとなされる。図面で１８は厨芥処理装置３の起動スイッチである。なお、止水弁１２は一定の開放状態に調整されたものとなされている。
【００１０】
図２は上記装置に於ける厨芥処理部５への自動給水動作のフローチャートを示す。本図で厨芥処理装置の起動スイッチ１８をオンさせると、同時に電磁弁１７が「開」となり、制御盤内の遅延回路により、ある設定時間後即ち給水開始の数秒後に、厨芥処理部５への運転開始指令が発せられ、厨芥処理部５に於ける破砕刃の回転が始まる。そして所定時間破砕処理が行われた後に上記スイッチが「オフ」されるのであり、これにより厨芥処理部の運転は停止されるが、制御盤の遅延回路により一定時間後即ち数秒後に上記電磁弁１７が「閉」となり、給水管７からの給水が停止されるものとなる。
【００１１】
上記に於ける厨芥処理装置の運転中、停電したり、断水したりして管路中に負圧が発生すると本発明では上記バキュームブレーカー１６が作動し、自動的に第２分岐管１５箇所へ空気が導入されるものとなる。従って、厨芥処理部５内の厨芥や汚水が該箇所の管路中で流れを断たれ、給水管７路へ逆流したりするものとならない。
【図面の簡単な説明】
【００１２】
【図１】本発明方法を実施する装置の一例を示す模式図である。
【図２】この発明による塵芥処理方式の自動給水動作フローである。
【図３】従来の厨芥処理装置の側面図である。
【符号の説明】
【００１３】
１      流し台シンク
２      排水口
３      厨芥処理装置
４      モーター駆動部
５      厨芥処理部
６      厨芥流出部
７      給水管
８      給水栓
９      給水アダプタ
１０    第１分岐管
１１    Ｔ型継ぎ手
１２    止水弁
１３    逆止弁
１４    Ｔ型継ぎ手
１５    第２分岐管
１６    バキュームブレーカー
１７    電磁弁
１８    起動スイッチ
【図１】
2005095752.tif 000003
【図２】
2005095752.tif 000004
【図３】
2005095752.tif 000005